(57)【要約】      （修正有）【課題】災害時、緊急時等に排泄、嘔吐等の難渋に直面した場合の介添具として役立てる軽便で簡易な使い捨てトイレを提供する。【解決手段】便槽４はクラフトラミネート加工、コーティングしたものである。便槽部分は底部及び側辺２箇所を２０ｍ／ｍ熱着シールで圧着して漏水を防いでいる。排泄物落下の溝で落下物が目に触れることなく、スムーズに便槽に収まってしまう。収納された排泄物は、個化、脱臭剤粉末８の３０ｇゼオライト、吸水性ポリマーの粉体に水分が結合、直ちに脱臭・固化をしてしまう。従って水分を吸収して洩れと臭いを抑制することによって、の両面テープ７で密封して可燃ゴミとして処理できる。被災地の緊急用、山岳、観光用として、携帯安易に快適に使用できるものである。【選択図】図２
0003107866.tif 000002
【実用新案登録請求の範囲】
【請求項１】
折りたたんだ厚ボール紙（２ｍ／ｍ）の内側に排泄物収納のため、ゼオライト吸水ポリマー、硼酸を成分とした粉末剤を封入し、クラフト紙にポリラミネートを施した防水加工紙を厚ボール紙内側に固定し厚ボール紙を左右に開く事により、ＢＯＸ型の便槽となり安易に使用できることを目的とし、使用後は上部開口部を両面テープで密封して閉じ、そのまま可燃物ゴミとして、使い捨てを特徴とした軽便簡易トイレ収納具である。
【考案の詳細な説明】
【考案の詳細な説明】
【０００１】
【技術分野】
【０００２】本考案は既製の厚ボール紙の内側に加工した防水紙の収納具を圧着し排泄物の脱臭・固化剤を封入した、軽便で簡易な使い捨てトイレである。
【背景技術】
【０００３】予期しない時の排泄、観光・登山時の排泄、災害時又は交通渋滞などの折には、苦労と我慢との戦いながら不快な思いをして解決していた。
【課題を解決するための手段】
【０００４】当該、軽便、簡易トイレは、所定寸法に計算した厚ボール紙の内側にクラフトラミネート紙を接合し、極めて軽量で持ち運びには負担がかからず、折りたためば、スペース、厚みもとらず、携帯用カバン、リュックサック等に１０枚程度は収納でき、保存可能である、何時、如何なる場合でも取り出し簡単に使用できるよう解決している。
【考案を実施するための最良の形態】
【０００５】当該、軽便、簡易トイレは、外側厚ボール紙部分は通常、陶器製の便器の役割を果たし、上部開口部を便槽である、アクリルラミネート紙の上部を貼り付け、左右に押し開けば、便槽になり、厚紙外側中央を外側に引き、はがし、踵で踏みつけ『そんきょ』の姿勢で使用する。
【実施例】
【０００６】以下、添付図面に従って、一実施例を説明する。
▲１▼はヨコ２７０×タテ４９０の厚ボール紙外側カバーを１／２に折り曲げた図
▲２▼は外側左右中央を指で外側にはがし、足で固定する、安定翼である。
▲３▼は▲２▼の安定翼を左右に開けた場合、点線部分より折り曲げ１３０ｍ／ｍの底辺部が出来上がりボックス型を形づくる。
▲４▼は内部に装置するアクリルラミネート紙の便槽部分本体である。
▲５▼は使用時（そんきょ）の姿勢になった場合の個人差による高さ調節部分。【０００７】図▲１▼は、外側厚ボール紙を１／２に折り曲げた側面図である。内部に便槽を一体化したものである。【０００８】便槽はクラフトラミネート加工、コーティングしたもので、図▲２▼は、内部を展開した便槽部分である。便槽部分は底部及び側辺２箇所を２０ｍ／ｍ熱着シールで圧着して漏水を防いでいる。▲４▼は、排泄物落下の溝で落下物が目に触れることなく、スムーズに便槽に収まってしまう。収納された排泄物は、▲８▼の３０ｇゼオライト、吸水性ポリマーの粉体に水分が結合、直ちに脱臭・固化をしてしまう。従って水分を吸収して洩れと臭いを抑制することによって、▲７▼の両面テープで密封して可燃ゴミとして処理できる。被災地の緊急用、山岳、観光用として、携帯安易に快適に使用できるものである。
【考案の効果】
【０００９】上述のように、本考案により、緊急被災地の環境も変わり快適に利用出来る。アウトドアに利用すれば、勿論の事、自然環境もよくなり、車での交通渋滞の場合には、尿意、車酔いの嘔吐など、その難渋にも解決される。特に、災害時、緊急時等には、絶対不可欠の備蓄用品である。
【図面の簡単な説明】
【図１】軽便、簡易トイレの全体図である。
【図２】軽便、簡易トイレの展開使用図である。
【符号の説明】
１外側厚ボ−ル紙
２左右安定固定翼
３固定底部
４内部に固定装置のアクリルラミネ−ト紙の便槽部分
５厚ボ−ル紙の高さ調節部分
６前部のアクリルラミネ−ト紙で外部へ漏洩  防止の遮蔽部分
７使用後便槽封入するための両面テ−プ
８固化．脱臭剤粉末
【図１】
0003107866.tif 000003
【図２】
0003107866.tif 000004
【手続補正書】
【提出日】平成16年9月27日(2004.9.27)
【手続補正１】
【補正対象書類名】実用新案登録請求の範囲
【補正対象項目名】全文
【補正方法】変更
【補正の内容】
【実用新案登録請求の範囲】
【請求項１】
折りたたんだ厚ボール紙の内側に排泄物収納のため、ゼオライト、吸水ポリマー、硼酸を成分とした粉末剤を封入し、クラフト紙にポリラミネートを施した防水加工紙を厚ボール紙の内側に固定し、厚ボール紙上部開口部に両面テープを設け密封可能とした軽便簡易トイレ収納具。
【手続補正２】
【補正対象書類名】明細書
【補正対象項目名】全文
【補正方法】変更
【補正の内容】
【考案の詳細な説明】
【技術分野】
【考案の詳細な説明】
【０００１】
【技術分野】
【０００２】本考案は、設製の厚ボール紙の内側に加工した防水紙の収納具を圧着し、排泄物の脱臭固化剤を封入した軽便で簡易な使い捨てトイレである。
【背景技術】
【０００３】予期しない時の排泄、観光、登山時の排泄、災害時又は、交通渋滞などの折には、苦労と我慢と戦いながら不快な思いをして解決していた。【０００４】
【課題を解決するための手段】
当該、軽便、簡易トイレは、所定寸法に計算した厚ボール紙の内側にクラフトラミネート紙を接合し、極めて軽量で持ち運びには負担がかからず、折りたためば、スペース、厚みもとらず、携帯用カバン、リュックサック等に１０枚程度は収納でき、保存可能である、何時、如何なる場合でも取り出し簡単に使用できるよう解決している。
【０００５】
【考案を実施するための最良の形態】当該、軽便、簡易トイレは、外側厚ボール紙部分は通常、陶器製の便器の役割を果たし、上部開口部を便槽である、アクリルラミネート紙の上部を貼り付け、左右に押し開けば、便槽になり、厚紙外側中央を外側に引き、はがし、踵で踏みつけ『そんきょ』の姿勢で使用する。【０００６】
【実施例】以下、添付図面に従って、一実施例を説明する。
▲１▼はヨコ２７０×タテ４９０の厚ボール紙外側カバーを１／２に折り曲げた図
▲２▼は外側左右中央を指で外側にはがし、足で固定する、安定翼である。
▲３▼は▲２▼の安定翼を左右に開けた場合、点線部分より折り曲げ１３０ｍ／ｍの底辺部が出来上がりボックス型を形づくる。
▲４▼は内部に装置するアクリルラミネート紙の便槽部分本体である。
▲５▼は使用時（そんきょ）の姿勢になった場合の個人差による高さ調節部分。【０００７】図▲１▼は、外側厚ボール紙を１／２に折り曲げた側面図である。
内部に便槽を一体化したものである。【０００８】便槽はクラフトラミネート加工、コーティングしたもので、図▲２▼は、内部を展開した便槽部分である。便槽部分は底部及び側辺２箇所を２０ｍ／ｍ熱着シールで圧着して漏水を防いでいる。▲４▼は、排泄物落下の溝で落下物が目に触れることなく、スムーズに便槽に収まってしまう。収納された排泄物は、▲８▼の３０ｇゼオライト、吸水性ポリマーの粉体に水分が結合、直ちに脱臭・固化をしてしまう。従って水分を吸収して洩れと臭いを抑制することによって、▲７▼の両面テープで密封して可燃ゴミとして処理できる。被災地の緊急用、山岳、観光用として、携帯安易に快適に使用できるものである。【０００９】
【考案の効果】
上述のように、本考案により、緊急被災地の環境も変わり快適に利用出来る。アウトドアに利用すれば、勿論の事、自然環境もよくなり、車での交通渋滞の場合には、尿意、車酔いの嘔吐など、その難渋にも解決される。特に、災害時、緊急時等には、絶対不可欠の備蓄用品である。
【図面の簡単な説明】
【０００１０】
【図１】軽便簡易トイレ収納具の全体図である。
【図２】軽便簡易トイレ収納具の側面図である。
【符号の説明】
【０００１１】１    外側厚ボ−ル紙
２    左、右、安定固定翼
３    折り曲げ底、固定部
４    内部に固定したアクリルラミネ−ト紙の便槽
５    厚ボール紙上部
６    ゼオライト、吸水ポリマ−、硼酸、混合の粉末剤
７    使用後便槽開口部を封入する両面テ−プ
【手続補正３】
【補正対象書類名】図面
【補正対象項目名】全図
【補正方法】変更
【補正の内容】
【図１】
0003107866.tif 000005
【図２】
0003107866.tif 000006